(57)【特許請求の範囲】
【請求項１】
舞台のフライギャラリーに回転自在に連結される第一歩路と、
前記第一歩路の先端に回転自在に連結される第二歩路と、
一端が前記第一歩路に連結される第一索と、
前記第一索を巻き取ったり繰り出したりするウインチと、
一端が前記フライギャラリーに固定され、他端が前記第二歩路の先端部に連結される第二索とを備え、
前記第二索は、前記第一歩路と前記第二歩路が水平方向に並んだ状態となると伸び切って前記第二歩路の先端で前記第一歩路と前記第二歩路の重量を支えて前記第一歩路と前記第二歩路とを水平のまま維持する
ことを特徴とする折り畳み式渡り橋。
【請求項２】
前記第一歩路の先端に連結される腕と、
前記腕に取り付けられて前記第一歩路と前記第二歩路との連結部よりも前記第一歩路と前記フライギャラリーとの連結部から離れた位置に設けられ、前記第二索の中間を支持する滑車とを備える
ことを特徴とする請求項１に記載の折り畳み式渡り橋。
【請求項３】
前記第一歩路と前記第二歩路が水平方向に並ぶと、前記第一歩路と前記第二歩路が当接し、互いの回転を阻止する
ことを特徴とする請求項１または請求項２に記載の折り畳み式渡り橋。
【発明の詳細な説明】
【技術分野】
【０００１】
本発明は、折り畳み式渡り橋に関する。
【背景技術】
【０００２】
演劇及びコンサート等に利用される多目的ホールでは、舞台上の出演者を照らしたり、地明かりをつくったりするための照明器具を舞台の間口方向に延びる照明ブリッジに取り付け、この照明ブリッジをバトンで吊っている（例えば、特許文献１，２）。
【０００３】
この照明ブリッジには、作業者が乗込んで照明器具の角度調節等をする作業スペースが設けられており、舞台袖の上部に奥行き方向に延びるフライギャラリー（作業者通行用の廊下）から照明ブリッジへ移動できるようになっている。そして、フライギャラリーと照明ブリッジとの間を安全に行き来するため、フライギャラリーから照明ブリッジへ延びる渡り橋を設けるのが一般的である。
【０００４】
さらに、音響反射板等の他の装置をバトンで吊って移動する場合、渡り橋がフライギャラリーから舞台側へ延びたままだと、渡り橋が上記舞台装置の移動の妨げとなることがある。よって、このような場合には、例えば、特許文献３のように、渡り橋を跳ね上げ式にして不使用時に格納できるようにする。
【先行技術文献】
【特許文献】
【０００５】
【特許文献１】特開平９−２６５８０４号公報
【特許文献２】特開２００８−１４６８６４号公報
【特許文献３】特開２００３−２７４１７号公報
【発明の概要】
【発明が解決しようとする課題】
【０００６】
ここで、従来のように渡り橋を跳ね上げて格納する場合、フライギャラリーの外側に格納しても、当該格納時における渡り橋の舞台側への突出長が短くなる。よって、他の装置と干渉しなければこれでも問題はないが、例えば、フライギャラリーの前を音響反射板が横切る等、フライギャラリーと他の装置との間隔が非常に狭くなるような場合には、渡り橋を舞台側へ突出させず、フライギャラリー内に渡り橋を完全に格納するのが好ましい。
【０００７】
しかしながら、従来の跳ね上げ式の渡り橋では、フライギャラリー内に格納できないことがある。なぜなら、フライギャラリーの天井が低く、床面から天井までの距離が格納時における渡り橋の長手寸法よりも短いと、渡り橋を跳ね上げたとき、渡り橋とフライギャラリーの天井が干渉するためである。
【０００８】
そこで、本発明は、フライギャラリーの天井が低くても、通路の長さを確保しつつフライギャラリー内に格納できる渡り橋の提供を課題とする。
【課題を解決するための手段】
【０００９】
上記課題を解決する請求項１に記載の渡り橋は、折り畳み式渡り橋であり、フライギャラリーに回転自在に連結される第一歩路と、前記第一歩路の先端に回転自在に連結される第二歩路と、一端が前記第一歩路に連結される第一索と、前記第一索を巻き取ったり繰り出したりするウインチと、一端が前記フライギャラリーに固定され他端が前記第二歩路の先端部に連結される第二索とを備え、前記第一歩路と前記第二歩路が水平方向に並んだ状態となると前記第二索が伸び切って前記第二歩路の先端で前記第一歩路と前記第二歩路の重量を支えて前記第一歩路と前記第二歩路とを水平のまま維持する。このため、折り畳み式渡り橋の通路の長さが第一歩路と第二歩路とを合わせた長さになって、通路の長さを確保できる。さらに、通路の長さを確保しても、第一歩路と第二歩路を折り畳んで格納時の長手寸法を短くできる。また、一端が前記第一歩路に連結される第一索と、前記第一索を巻き取ったり繰り出したりするウインチとを備えているので、折り畳み式渡り橋の展開作業及び格納作業を容易にできる。さらに、一端がフライギャラリーに固定され他端が第二歩路に連結される第二索は、第一歩路と第二歩路とが水平方向に並んだ状態で伸び切って第一歩路及び第二歩路の重量を支えて第一歩路と第二歩路とを水平に維持するので、第二索で第一歩路及び第二歩路の重量を支えて水平に維持できる。
【００１２】
請求項２に記載の折り畳み式渡り橋は、請求項１に記載の構成を備えるとともに、前記第一歩路の先端に連結される腕と、前記腕に取り付けられて前記第一歩路と前記第二歩路との連結部よりも前記第一歩路と前記フライギャラリーとの連結部から離れた位置に設けられ、前記第二索の中間を支持する滑車とを備える。このため、折り畳み式渡り橋を展開する過程で第二索が伸び切ると、滑車を支点にして第二歩路を引き上げるので、第一歩路を駆動するウインチを利用して第二歩路を駆動できる。
【００１３】
請求項３に記載の折り畳み式渡り橋は、前記第一歩路と前記第二歩路が水平方向に並ぶと、前記第一歩路と前記第二歩路が当接し、互いの回転を阻止する。このため、第一歩路と第二歩路の回転規制を容易にできる。
【発明の効果】
【００１４】
本発明の折り畳み式渡り橋によれば、フライギャラリーの天井が低くても、通路の長さを確保しつつフライギャラリー内に格納できる。
【図面の簡単な説明】
【００１５】
【図１】本発明の一実施の形態に係る折り畳み式渡り橋の取付状態を示した左側面図である。
【図２】（ａ）は、本発明の一実施の形態に係る折り畳み式渡り橋における第一歩路、第二歩路及び手摺部分を示した縦断面図である。（ｂ）は（ａ）で示す部分のＸＸ断面図である。（ｃ）は（ａ）で示す部分の底面図である。
【図３】本発明の一実施の形態に係る折り畳み式渡り橋の作動を示す説明図であり、（ａ）は展開行程及び格納行程における展開完了に近い状態を示し、（ｂ）は展開行程及び格納行程における格納完了に近い状態を示す。
【発明を実施するための形態】
【００１６】
以下に本発明の実施の形態について、図面を参照しながら説明する。いくつかの図面を通して付された同じ符号は、同じ部品か対応する部品を示す。また、図面は符号の向きに見るとする。
【００１７】
図１に示す本発明の一実施の形態に係る折り畳み式渡り橋Ａは、演劇及びコンサート等に利用される多目的ホールに利用されている。当該多目的ホールでは、舞台上の出演者を照らしたり、地明かりをつくったりするための照明器具Ｌが取り付けられた照明ブリッジＢ、音響反射効果を奏する音響反射板、舞台演出用の各種幕等がそれぞれバトンに吊られて舞台上を移動できる。舞台袖の上部には、舞台の奥行き方向に延びるフライギャラリーＧが設けられ、当該フライギャラリーＧに上記折り畳み式渡り橋Ａが取り付けられている。そして、図１に示すように、折り畳み式渡り橋Ａを展開すると、作業者が折り畳み式渡り橋Ａを渡って舞台の間口方向に延びる照明ブリッジＢへ移動できる。
【００１８】
折り畳み式渡り橋Ａは、図２に示すように、設置対象であるフライギャラリーＧ（図１）に回転自在に連結される第一歩路１と、この第一歩路１の先端１０に回転自在に連結される第二歩路２と、一端ｗ１が第一歩路１に連結される第一索であるワイヤＷと、このワイヤＷを繰り出したり巻き取ったりするウインチＭ（図１）と、一端ｃ１がフライギャラリーＧの柱ｇ１（図１）に固定され、他端ｃ２が第二歩路２の先端２０部分に連結される第二索であるチェーンＣと、第一歩路１及び第二歩路２の両側に起立する手摺３とを備える。
【００１９】
第一歩路１及び第二歩路２は、作業者が歩くための通路であり、図示しないが矩形のフレームに踏板である鋼板が張られている。これら第一歩路１と第二歩路２は、ピンＰ１で連結されており、ピンＰ１を支点に回転して開閉（離反又は接近）する。また、第一歩路１及び第二歩路２において、作業者の足が乗る方を表、他方を裏とすると、ピンＰ１は第一歩路１及び第二歩路２の裏側に設けられる。そして、図２（ａ）に示すように、第一歩路１と第二歩路２を開き、これらの表面のなす角度θ１が略１８０度になると、第一歩路１の先端１０と第二歩路２の末端２１が接触して互いの回転が規制され、全開となるようになっている。
【００２０】
また、上記第一歩路１の末端１１は、図１に示すように、フライギャラリーＧの床ｇ２にピンＰ２で連結されており、当該ピンＰ２は上記ピンＰ１と平行方向であって、フライギャラリーＧの長手方向（舞台の奥行き方向）に伸びている。第一歩路１の先端１０側には、後述の腕４及び支持部材４０を介してワイヤＷの一端ｗ１が接続されており、ワイヤＷの他端側は、フライギャラリーＧの柱ｇ１に取り付けた滑車Ｄに案内されてウインチＭのボビンに巻き付けられている。ウインチＭと滑車Ｄは、ワイヤＷの一端ｗ１よりも上方に設けられており、ウインチＭでワイヤＷを巻き取ると第一歩路１の先端１０を引き上げる。前述のように、第二歩路２は第一歩路１の先端１０に回転自在に連結されるので、第一歩路１の先端１０が引き上げられると、第二歩路２の末端２１（図２（ａ）（ｂ））が引き上げられて第一歩路１と第二歩路２が閉じる。
【００２１】
さらに、図２に示すように、第一歩路１の先端１０には、一対の腕４，４が連結されている。これらの腕４，４は、第一歩路１の先端１０から第一歩路１と同方向（末端１１から離れる方向）に延びており、第一歩路１の延長上にある。そして、各腕４，４の先端部分に支持部材４０とガイド４１が固定され、支持部材４０にワイヤＷの一端ｗ１が連結されるとともに、支持部材４０により一対の滑車５，６が回転自在に取り付けられている。支持部材４０は、腕４を挟んで向かい合う一対の挟持部（符示せず）を備えているが、図２（ａ），３では通路側の挟持部を省略している。
【００２２】
また、上記滑車５，６は、第一歩路１及び腕４，４が水平となった状態で見たとき、上下にずらして配置されている。そして、第一歩路１の表面を正面にして見たとき、下側の滑車６とピンＰ２（第一歩路１とフライギャラリーＧとの連結部）との間に、ピンＰ１（第一歩路１と第二歩路２との連結部）が位置するようになっている。また、上記滑車６は、後述のチェーンＣの中間を支える。他方の上側の滑車５は、チェーンＣが下側の滑車６から外れるのを防止する。
【００２３】
また、ガイド４１は、一部を切欠いた円筒状であり、腕４，４の角部を覆う。このため、チェーンＣが滑車６を支点にして曲がったときに、チェーンＣが上記角部に擦れて傷付くのを防ぐ。上記ガイド４１は、合成樹脂で形成されるが、鉄等他の素材により形成されていてもよい。
【００２４】
つづいて、第二歩路２の先端２０部分には、第二歩路２から手摺３側へ延びる一対の突起７，７が固定されている。突起７，７は、それぞれ腕４，４に対向し、各突起７にチェーンＣの他端ｃ２を連結するための金具７０が固定されている。そして、この金具７０は平面視で見て腕４と同一直線上にあり、チェーンＣがフライギャラリーＧ側に連結される一端ｃ１（図１）から第二歩路２に連結される他端ｃ２まで平面視で略真直ぐに延びており、一端ｃ１と他端ｃ２の間の中間部が滑車５，６の間を通る。
【００２５】
上記チェーンＣは、一端ｃ１が他端ｃ２よりも上方に配置されており、第一歩路１と第二歩路２が全開になってこれらが水平方向に並んだ状態で伸び切る。また、前述のように、第一歩路１と第二歩路２は、表面のなす角度が略１８０度となった状態で全開となり、逆折れしないので、チェーンＣで第二歩路２の先端２０部分を支えると、第一歩路１と第二歩路２が水平のまま維持される。
【００２６】
つづいて、第一歩路１及び第二歩路２の両側に起立する手摺３，３は、それぞれ、一対の支柱８ａ，８ｂと、これら支柱８ａ，８ｂの間に架け渡される上下の桟９ａ，９ｂと、支柱８ｂとフライギャラリーＧの柱（図示せず）との間に架け渡される上下の桟９ｃ，９ｄとを有する。そして、桟９ａ，９ｂの両端が両側の支柱８ａ，８ｂにピン（符示せず）で回転自在に連結されるとともに、桟９ｃ，９ｄの両端が支柱８ｂと柱にピン（符示せず）で回転自在に連結されて、平行リンクを構成する。また、支柱８ａはピンＰ３で第二歩路２と回転自在に連結され、支柱８ｂはピンＰ１で第一歩路１及び第二歩路２と回転自在に連結され、両方の手摺３，３が支柱８ａ，８ａと支柱８ｂ，８ｂの下端部をそれぞれつなぐ横材８ｃで連結されている。
【００２７】
以下、本実施の形態における折り畳み式渡り橋Ａの作動について説明する。
【００２８】
折り畳み式渡り橋Ａを格納する行程では、ウインチＭでワイヤＷを巻き取っていく。すると、第一歩路１の先端１０側がワイヤＷで引き上げられて、第一歩路１が徐々に立ち上がるので、第二歩路２の末端２１が引き上げられるようにして第一歩路１と第二歩路２が閉じる。
【００２９】
図３（ａ）に示すように、第一歩路１の傾斜角θ２が小さい段階では、チェーンＣが張った状態に維持されるので、第二歩路２がチェーンＣで支えられた状態で先端２０を下方へ向けて回転させる。しかし、第二歩路２が自重で第一歩路１の先端１０から垂れ下がった状態まで回転すると、図３（ｂ）に示すように、第一歩路１の傾斜角θ２の上昇に伴いチェーンＣが弛み、第一歩路１の起立に伴い上記撓み量が大きくなる。
【００３０】
そして、第一歩路１と第二歩路２が折り畳まれてフライギャラリーＧ内に収容された状態でウインチＭを停止する。具体的に、折り畳み式渡り橋Ａの格納が完了した状態では、図３（ｂ）に示す状態から第一歩路１の傾斜角θ２がやや大きくなって、折り畳み式渡り橋Ａの図３中左端がフライギャラリーＧの図３中左端よりも右方に位置し、折り畳み式渡り橋Ａが完全にフライギャラリーＧ内に入った状態になる。
【００３１】
また、折り畳み式渡り橋Ａを格納する行程において、手摺３は、第一歩路１の傾斜に伴い桟９ｃ，９ｄが傾斜し、第二歩路２の傾斜に伴い桟９ａ，９ｂが傾斜して、支柱８ａ，８ｂが略鉛直に保たれたまま折り畳まれる。
【００３２】
反対に、折り畳み式渡り橋Ａを展開する行程では、ウインチＭでワイヤＷを繰り出していく。すると、第一歩路１が自重と第二歩路２の重みで徐々に舞台側（照明ブリッジＢ側）へ倒れる。
【００３３】
図３（ｂ）に示すように、第一歩路１の傾斜角θ２が大きい段階では、チェーンＣが弛んだ状態に維持されるので、第二歩路２が自重で第一歩路１の先端１０から垂れ下がったまま当該先端１０の下降に伴い下降する。しかし、第一歩路１の傾倒に伴いチェーンＣが伸び切ると、滑車６を支点に第二歩路２の先端２０を引き上げる。
【００３４】
そして、第一歩路１と第二歩路２が全開になった状態でウインチＭを停止する。具体的に、折り畳み式渡り橋Ａの展開が完了した状態では、図１，２に示す状態となり、第一歩路１及び第二歩路２が照明ブリッジＢへ向けて延びる。また、第一歩路１と第二歩路２が全開になると、第一歩路１と第二歩路２の当接によりそれ以上の回転が規制され、全開の状態で第一歩路１と第二歩路２が水平方向に延びるとチェーンＣが伸び切る。このような状態では、第一歩路１と第二歩路２に作業者が乗ったとしても第一歩路１と第二歩路２が逆折れせず、作業者、第一歩路１及び第二歩路２の重量をチェーンＣで支えられる。よって、作業者が折り畳み式渡り橋Ａを渡ってフライギャラリーＧと照明ブリッジＢとの間を行き来できるようになる。
【００３５】
また、折り畳み式渡り橋Ａを展開する行程において、手摺３は、格納工程と同様に、第一歩路１の傾斜に伴い桟９ｃ，９ｄが傾斜し、第二歩路２の傾斜に伴い桟９ａ，９ｂが傾斜して、支柱８ａ，８ｂが略鉛直に保たれたまま展開される。
【００３６】
以下、本実施の形態における折り畳み式渡り橋Ａの作用効果について説明する。
【００３７】
本実施の形態において、折り畳み式渡り橋Ａがフライギャラリー（設置対象）Ｇに回転自在に連結される第一歩路１と、この第一歩路１の先端１０に回転自在に連結される第二歩路２とを備える。
【００３８】
上記構成によれば、折り畳み式渡り橋Ａの通路の長さが第一歩路１と第二歩路２とを合わせた長さになるので、通路の長さを確保できる。さらに、通路の長さを確保しても、第一歩路１と第二歩路２を折り畳んで格納時の長手寸法を短くできる。よって、上記折り畳み式渡り橋Ａによれば、フライギャラリーＧの天井ｇ３が低くても、通路の長さを確保しつつフライギャラリーＧ内に格納できる。
【００３９】
また、本実施の形態において、折り畳み式渡り橋Ａは、一端ｗ１が第一歩路１に連結されるワイヤ（第一索）Ｗと、このワイヤＷを巻き取ったり繰り出したりするウインチＭとを備える。
【００４０】
上記構成によれば、折り畳み式渡り橋Ａの展開作業及び格納作業を容易にできる。なお、ウインチＭを利用せずに第一歩路１を駆動してもよい。また、本実施の形態では、第一索としてワイヤＷを利用しているが、第一索の構成は適宜変更でき、例えば、チェーン又はロープ等でもよい。さらに、本実施の形態では、ワイヤＷの一端ｗ１が支持部材４０と腕４を介して第一歩路１に連結されているが、上記一端ｗ１が第一歩路１に対して位置決めされていればよく、腕４又は他の部材に連結されていても、第一歩路１に直接連結されていてもよい。
【００４１】
また、本実施の形態において、折り畳み式渡り橋Ａは、一端ｃ１がフライギャラリー（設置対象）に固定され、他端ｃ２が第二歩路２の先端２０部分（先端部）に連結されるチェーン（第二索）Ｃとを備える。
【００４２】
上記構成によれば、チェーンＣで第一歩路１及び第二歩路２の重量を支えられる。また、第二索としてチェーンＣを利用しているので、例えば、図３（ｂ）のようにチェーンＣの長さが余ったときに弛ませ易い。なお、第二索の構成は適宜変更でき、例えば、ワイヤ又はロープ等でもよい。さらに、本実施の形態では、チェーンＣの他端ｃ２が金具７０及び突起７を介して第二歩路２に連結されているが、上記他端ｃ２が第二歩路２に対して位置決めされていればよく、他の部材に連結されていても、第二歩路２に直接連結されていてもよい。そして、このような変更は、第一歩路１の駆動方法、第一索の構成、及び第一索の連結位置によらず可能である。
【００４３】
また、本実施の形態において、折り畳み式渡り橋Ａは、第一歩路１の先端１０に連結される腕４と、腕４に取り付けられて第一歩路１と第二歩路２との連結部（ピンＰ１部分）よりも第一歩路１とフライギャラリーＧとの連結部（ピンＰ２部分）から離れた位置に設けられ、チェーン（第二索）Ｃの中間を支持する滑車（滑車）６とを備える。
【００４４】
上記したチェーンＣの中間とは、フライギャラリーＧに連結される一端ｃ１と、第二歩路２に連結される他端ｃ２の間のことである。そして、上記構成によれば、折り畳み式渡り橋Ａを展開する過程でチェーンＣが伸び切ると、滑車６を支点にして第二歩路２を引き上げるので、第一歩路１を駆動するウインチＭを利用して第二歩路２を駆動できる。よって、ウインチの数が少なくて済み、折り畳み式渡り橋Ａを安価にできる。なお、第一歩路１を駆動するウインチＭと第二歩路２を駆動するウインチの両方を設けてもよい。さらに、本実施の形態では、下側の滑車６が支持部材４０を介して腕４に取り付けられているが、滑車６が腕４に対して位置決めされていればよく、他の部材に取り付けられていても、腕４に直接取り付けられていてもよい。そして、このような変更は、第一歩路１の駆動方法、第一索の構成、第一索の連結位置、第二索の構成及び第二索の連結位置によらず可能である。
【００４５】
また、本実施の形態では、上下の滑車５，６でチェーンＣを挟むとともに、腕４の先端部にガイド４１を設けている。よって、チェーンＣが下側の滑車６から外れるのを上側の滑車５で確実に防ぐとともに、チェーンＣが腕４の角部に擦れて傷付くのをガイド４１で防止できる。さらに、ガイド４１の両端にフランジを設けて、当該フランジの間をチェーンＣが通るようにしておけば、ガイド４１からチェーンＣが外れるのを防止できる。なお、チェーンＣが下側の滑車６から外れるのを防止するための構成及びチェーンＣの傷付きを防止するための構成は、適宜変更できる。そして、このような変更は、第一歩路１の駆動方法、第一索の構成、第一索の連結位置、第二索の構成及び第二索の連結位置によらず可能である。
【００４６】
また、本実施の形態では、第一歩路１と第二歩路２が水平方向に並ぶと、第一歩路１と第二歩路２が当接し、互いの回転を阻止する。
【００４７】
上記した水平方向に並んだ状態とは、地面に対して厳密に平行になった状態に限られず、製造上の誤差により多少傾いた状態も含む。そして、上記構成によれば、第一歩路１と第二歩路２との当接により回転規制をできるので、回転規制用の部品が不要であり、第一歩路１と第二歩路２の回転規制を容易にできる。なお、第一歩路１と第二歩路２との回転規制方法は上記の限りではなく、適宜変更できる。そして、このような変更は、第一歩路１の駆動方法、第一索の構成、第一索の連結位置、第二索の構成、第二索の連結位置、及び第二歩路２の駆動方法によらず可能である。
【００４８】
また、本実施の形態の折り畳み式渡り橋Ａは、第一歩路１と第二歩路２に連結されて、第一歩路１と第二歩路２の回転により折り畳まれる手摺３を備える。
【００４９】
上記構成によれば、手摺３が折り畳み式であるので、フライギャラリーＧの天井ｇ３が低い場合であっても、手摺３を付けたまま折り畳み式渡り橋ＡをフライギャラリーＧ内に格納できる。なお、例えば、手摺３を廃した上記折り畳み式渡り橋Ａを展開した後に手摺を取り付ける場合、手摺は折り畳み式でなくてもよく、手摺３の構成は適宜変更できる。そして、このような変更は、第一歩路１の駆動方法、第一索の構成、第一索の連結位置、第二索の構成、第二索の連結位置、第二歩路２の駆動方法、第一歩路１と第二歩路２の回転規制方法によらず可能である。
【００５０】
以上、本発明の好ましい実施の形態を詳細に説明したが、特許請求の範囲から逸脱しない限り、改造、変形および変更が可能である。
【符号の説明】
【００５１】
Ａ・・・折り畳み式渡り橋、Ｃ・・・チェーン（第二索）、ｃ１・・・チェーン（第二索）の一端、ｃ２・・・チェーン（第二索）の他端、Ｇ・・・フライギャラリー（設置対象）、Ｍ・・・ウインチ、Ｗ・・・ワイヤ（第一索）、ｗ１・・・ワイヤ（第一索）の一端、１・・・第一歩路、２・・・第二歩路、４・・・腕、６・・・滑車、１０・・・第一歩路の先端、２０・・・第二歩路の先端
【図１】
0006637262.tif 000002
【図２】
0006637262.tif 000003
【図３】
0006637262.tif 000004